(57)【要約】【課題】人間など生物が生きていく過程で行う、人体の無数の化学反応により生成および排出される生産物による、頑固な汚れを効果的に洗浄する。【解決手段】主に７０ＫＨｚないし１００ＫＨｚ前後の超音波と、主に８０Ｈｚないし１８０Ｈｚの超低周波と、主にリパーゼ及びプロテアーゼ及びアミラーゼなどの酵素を用いて、入れ歯やコンタクトレンズなど人体の一部として使用する物品の、効率の良い洗浄器を得る。【選択図】        図１
2004174184.tif 000002
【特許請求の範囲】
【請求項１】
主に７０ＫＨｚないし１００ＫＨｚ前後の超音波を用いて、洗浄することを特徴とする入れ歯及びコンタクトレンズ及び貴金属等の人体が身につける物品用洗浄器。
【請求項２】
主に８０Ｈｚないし１８０Ｈｚの超低周波を用いて、洗浄することを特徴とする入れ歯及びコンタクトレンズ及び貴金属等の人体が身につける物品用洗浄器。
【請求項３】
主にリパーゼ及びプロテアーゼ及びアミラーゼ等の酵素を用いて、洗浄することを特徴とする入れ歯及びコンタクトレンズ及び貴金属等の人体が身につける物品用洗浄器。
【請求項４】
超音波と超低周波と酵素を用いて、洗浄することを特徴とする入れ歯及びコンタクトレンズ及び貴金属等の人体が身につける物品用洗浄器。
【発明の詳細な説明】
【０００１】
【発明の属する技術分野】
本発明は、超音波及び超低周波及び酵素等を用いた、人間などが生きていく過程で行う無数の化学反応により、生成及び排出される生産物を洗浄する方法に関するものである。
【０００２】
【従来の技術】
従来の、人体が身につけあるいは使う、入れ歯及び歯ブラシ及びアクセサリー等貴金属の洗浄には、３０ＫＨｚないし４０ＫＨｚ程度の超音波洗浄器が用いられてきたが、入れ歯やコンタクトレンズなどのように、人体の一部として使用するものには、人間が生活する過程で行う、人体内の無数の化学反応により生成及び排出される、生産物を洗浄する洗浄効果に対しては、共に微弱なる効果を発する機器類が出回っていた。
【０００３】
【発明が解決しようとする課題】
従来の超音波洗浄器は、３０ＫＨｚないし４０ＫＨｚの超音波周波数で、水を媒体として洗浄するものであり、比較的低い周波数の超音波エネルギーのみで洗浄するために、人間など生物が生成及び排出する生産物を、分解及び洗浄する力は無かった。特に入れ歯やコンタクトレンズ等の表面には、油成分やタンパク質成分及び炭素化合物や、炭水化物等が付着及び凝固しているので、前記物質の洗浄に最適とされる効果的な洗浄を行わなければ、汚れが落ちないという問題点があった。
【０００４】
本発明は、主に７０ＫＨｚないし１００ＫＨｚ前後の超音波と、主に８０Ｈｚないし１８０Ｈｚの超低周波と、主にリパーゼ及びプロテアーゼ及びアミラーゼ等の酵素を用いて、入れ歯やコンタクトレンズなど人体の一部として使用する物品等の、効率の良い洗浄器を提供することを目的としている。
【０００５】
【課題を解決するための手段】
上記の目的を達成するために、本発明の超音波等を用いた入れ歯及びコンタクトレンズ及び貴金属等の人体が身につける物品用洗浄器は、超音波エネルギーと超低周波エネルギーと、酵素のパワーを組合せ利用することで、頑固な汚れを落とそうとするものである。
【０００６】
上記超音波エネルギーの振動周波数は、主に７０ＫＨｚないし１００ＫＨｚ前後の高い周波数を用いることが、効果的である。
【０００７】
また、超低周波エネルギーの振動周波数は８０Ｈｚないし１８０Ｈｚ程度の周波数を用いてドライブするのが、効果的であり実用的である。
【０００８】
また、人間など生物が体内で生成及び分泌する３大酵素には、リパーゼ及びプロテアーゼ及びアミラーゼなどがある。これらの酵素は体内で生成され人体には全く無害であり、かつまたリパーゼ酵素は小腸で分泌される酵素で、主に油成分を分解する役割をもつ消化酵素であり、またプロテアーゼは主に胃や腸などの消化器官で分泌される蛋白質を分解する消化酵素であり、またアミラーゼは、臭いのもとになる炭素を糖質に変える役割をもつ消化酵素である。
【０００９】
したがって前記３大消化酵素を室温から体温程度の水に溶かして洗浄液として用いると、人間など生物が生成及び排出する生産物を分解及び洗浄するという能力は飛躍的に高いレベルのものとなった。
【００１０】
【発明の実施の形態】
発明の実施の形態を実施例に基づき図面を参照して説明する。
図１において、ステンレス容器１の下部には、円板形の超音波振動子２と、超低周波を発生させるペジャーモータ３が共に固定されている。
【００１１】
前記の超音波振動子２と、ペジャーモータ３は、それぞれリード線４及びリード線５で、ドライブ回路６に共に接続されている。またドライブ回路６は底板１４に固定されている。前記のペジャーモータ３は２Ｖないし４Ｖの直流で、その回転速度を５０００回転から１００００回転前後迄、調整可能であるので、超低周波数では、ほぼ８０Ｈｚから１８０Ｈｚの低い周波数の波長による振動を、発生させることができる。
【００１２】
またドライブ回路６は、ＤＣコード７を介して３Ｖないし５Ｖの直流を印加されて、ＤＣ：ＡＣ変換を行い、７０ＫＨｚないし１００ＫＨｚ程度のドライブ周波数で、前記の超音波振動子２をドライブする。
【００１３】
また、ステンレス容器１の上部は、ゴムパッキン８を介してケース９に圧接しており、固定環１０で前記ケース９に固定されており、また前記ステンレス容器１の内側には洗浄用の、室温から体温程度の温度の水（図示せず）が挿入されている。また底板１４の下部には複数のゴム足１５及び１６が防振用に固定されている。
【００１４】
前記の洗浄用の水には、リパーゼ酵素１１及びプロテアーゼ酵素１２及びアミラーゼ酵素１３が、前記の水の中に投ぜられているので、各種の酵素は室温から４０℃迄の温度では消化酵素として機能して、効果的に人間など生物が生成及び排出する生産物を化学的に分解及び洗浄するので、高い洗浄力が得られた。
【００１５】
【発明の効果】
本発明は、以上説明したように構成されているので、以下に記載されるような効果を奏する。
【００１６】
従来の超音波洗浄器は３０ＫＨｚないし４０ＫＨｚという比較的低い周波数を用いて、かつ３０Ｗ程度のハイパワーで洗浄するので、入れ歯やコンタクトレンズの洗浄において、歯が欠けたり、レンズが変質したりした。
【００１７】
本発明では７０ＫＨｚないし１００ＫＨｚという、比較的高い繰り返し周波数を用いて、５Ｗないし１０Ｗ程度の低電力で洗浄することによって、入れ歯やコンタクトレンズの品質を落とさずに洗浄することが可能となった。
【００１８】
また主に、８０Ｈｚないし１８０Ｈｚという超低周波を用いて、洗浄槽であるステンレス容器１を、超低周波振動させることによって、入れ歯やコンタクトレンズの位置や姿勢が変化して、常に新しい表面が洗浄されるという効果を生んだ。
【００１９】
また人間の体内で生成及び分泌される、３大酵素のリパーゼ及びプロテアーゼ及びアミラーゼを、洗浄液として用いることにより、効果的に人間など生物が生成及び排出する生産物を、分解及び洗浄するので、高い洗浄力を得ることができた。
【００２０】
さらに７０ＫＨｚないし１００ＫＨｚという、比較的に高い周波数による超音波エネルギーと、主に８０Ｈｚないし１８０Ｈｚという超低周波による振動エネルギーと、さらに人間に無害なリパーゼ及びプロテアーゼ及びアミラーゼなどの消化酵素の化学的な分解、洗浄力を組み合わせることにより、初めて人間などの生物が生きていく過程でおこなう、無数の化学反応により生成及び排出及び不着及び凝固した、前記の物質の洗浄には最適とされる、かつ効果的な、新しい洗浄力及び洗浄方法を、本発明により提供するものである。
【図面の簡単な説明】
【図１】超音波等を用いた入れ歯及びコンタクトレンズなど用洗浄器を示す図である。
【符号の説明】
１    ステンレス容器
２    超音波振動子
３    ペジャーモータ
４    リード線
５    リード線
６    ドライブ回路
７    ＤＣコード
８    ゴムパッキン
９    ケース
１０  固定環
１１  リパーゼ酵素
１２  プロテアーゼ酵素
１３  アミラーゼ酵素
１４  底板
１５、１６  ゴム足
【図１】
2004174184.tif 000003